(57)【要約】【課題】患者の除水量や除水速度をより厳格に制御できる血液透析装置を提供する。【解決手段】血液透析装置１は、第１の送液ポンプ８２を稼働して第１の室３０に透析液を供給し、隔壁３２が第２の室３１側に変位し、第２の室３１から外部に透析廃液を排出する透析液交換工程と、第２の送液ポンプ５２を稼働し、隔壁３２が第１の室３０側に変位し、第１の室３０から透析器１０に透析液を供給し、透析器１０から第２の室３１に透析廃液を排出する透析液供給工程を、それぞれ予め定められている一定の処理時間で交互に実行し、透析液供給工程において、当該工程の前記処理時間より短い所定時間、開閉弁６０、６１により透析液供給回路１３を開放して第２の室３１に透析排液を排出し、隔壁３２の第１の室３０側への変位が完了した時又はその後、開閉弁６０、６１により透析液供給回路１３を閉鎖する制御部１５を有する。【選択図】図１
2015009105.tif 000002
【特許請求の範囲】
【請求項１】
透析器と、
内部を第１の室と第２の室に隔てる変位可能な隔壁を有する容器と、
前記第１の室に透析液を供給するとともに、前記第２の室の透析廃液を外部に排出する透析液交換回路と、
前記透析液交換回路を通じて前記第１の室に透析液を送る第１の送液ポンプと、
前記透析液交換回路を開閉する第１の開閉装置と、
前記第１の室の前記透析液を前記透析器に供給するとともに、前記透析器から前記第２の室に透析廃液を排出する透析液供給回路と、
前記透析液供給回路を通じて前記第２の室に透析廃液を送る第２の送液ポンプと、
前記透析液供給回路を開閉する第２の開閉装置と、
前記第１の送液ポンプを稼働して前記第１の室に透析液を供給し、前記隔壁が前記第２の室側に変位し、前記第２の室から外部に透析廃液を排出する透析液交換工程と、前記第２の送液ポンプを稼働し、前記隔壁が前記第１の室側に変位し、前記第１の室から前記透析器に透析液を供給し、前記透析器から前記第２の室に透析廃液を排出する透析液供給工程を、それぞれ予め定められている一定の処理時間で交互に実行し、前記透析液供給工程において、当該工程の前記処理時間より短い所定時間、前記第２の開閉装置により前記透析液供給回路を開放して前記第２の室に透析排液を排出し、前記隔壁の前記第１の室側への変位が完了した時又はその後、前記第２の開閉装置により前記透析液供給回路を閉鎖する制御部と、を有する血液透析装置。
【請求項２】
前記制御部は、前記所定時間を、前記隔壁の前記第１の室側への変位が完了した時から０．５sec以内に、前記第２の開閉装置により前記透析液供給回路を閉鎖するように定めている、請求項１に記載の血液透析装置。
【請求項３】
前記第２の送液ポンプの送液流量が、前記第１の送液ポンプの送液流量よりも低く設定されている、請求項１又は２に記載の血液透析装置。
【請求項４】
前記第２の室側又は前記第１の室側に変位した前記隔壁を元の位置に戻すための復元力を付与する復元力付与機構を、さらに有する、請求項１〜３のいずれかに記載の血液透析装置。
【請求項５】
前記制御部は、前記透析液交換工程において、当該工程の前記処理時間より短い所定時間、前記第１の開閉装置により前記透析液交換回路を開放して前記第１の室に透析液を供給し、前記隔壁の前記第２の室側への変位が完了した時又はその後、前記第１の開閉装置により前記透析液交換回路を閉鎖する、請求項１〜４のいずれかに記載の血液透析装置。
【請求項６】
前記容器は、合成樹脂からなる、請求項１〜５のいずれかに記載の血液透析装置。
【請求項７】
前記隔壁の変位の完了を検出する手段を、さらに有する、請求項１〜６のいずれかに記載の血液透析装置。
【請求項８】
前記容器と、前記透析液交換回路と、前記透析液供給回路と、前記第１の開閉装置及び前記第２の開閉装置からなる系を、前記透析器に対し並列的に二つ備え、
第１の系において前記透析液交換工程が行われている際に、第２の系において前記透析液供給工程を行い、前記第１の系において前記透析液供給工程が行われている際に、前記第２の系において前記透析液交換工程を行う、請求項１〜７のいずれかに記載の血液透析装置。
【請求項９】
透析器と、
内部を第１の室と第２の室に隔てる変位可能な隔壁を有する容器と、
前記第１の室に透析液を供給するとともに、前記第２の室の透析廃液を外部に排出する透析液交換回路と、
前記透析液交換回路を通じて前記第１の室に透析液を送る第１の送液ポンプと、
前記透析液交換回路を開閉する第１の開閉装置と、
前記第１の室の前記透析液を前記透析器に供給するとともに、前記透析器から前記第２の室に透析廃液を排出する透析液供給回路と、
前記透析液供給回路を通じて前記第２の室に透析廃液を送る第２の送液ポンプと、
前記透析液供給回路を開閉する第２の開閉装置と、を有する血液透析装置の作動方法であって、
前記第１の送液ポンプを稼働して前記第１の室に透析液を供給し、前記隔壁が前記第２の室側に変位し、前記第２の室から外部に透析廃液を排出する透析液交換工程と、前記第２の送液ポンプを稼働し、前記隔壁が前記第１の室側に変位し、前記第１の室から前記透析器に透析液を供給し、前記透析器から前記第２の室に透析廃液を排出する透析液供給工程を、それぞれ予め定められている一定の処理時間で交互に実行し、前記透析液供給工程において、当該工程の前記処理時間より短い所定時間、前記第２の開閉装置により前記透析液供給回路を開放して前記第２の室に透析排液を排出し、前記隔壁の前記第１の室側への変位が完了した時又はその後、前記第２の開閉装置により前記透析液供給回路を閉鎖する制御部を作動する、血液透析装置の作動方法。
【請求項１０】
前記制御部は、前記透析液交換工程において、当該工程の前記処理時間より短い所定時間、前記第１の開閉装置により前記透析液交換回路を開放して前記第１の室に透析液を供給し、前記隔壁の前記第２の室側への変位が完了した時又はその後、前記第１の開閉装置により前記透析液交換回路を閉鎖する、請求項９に記載の血液透析装置の作動方法。
【発明の詳細な説明】
【技術分野】
【０００１】
本発明は、血液透析装置及び血液透析装置の作動方法に関する。
【背景技術】
【０００２】
透析時の除水量を正確に管理するための血液透析装置として、内部を第１の室と第２の室に隔てる変位可能な隔壁を有する容器（計量容器）を用いるものが提案されている（特許文献１〜４参照）。
【０００３】
上述の血液透析装置は、通常、容器の第１の室に新しい透析液を供給するとともに、第２の室の透析廃液を外部に排出する透析液交換回路と、第１の室の新しい透析液を透析器に供給するとともに、透析器から第２の室に透析廃液を排出する透析液供給回路を有し、それらの各回路には、それぞれ所定の流量、所定のタイミングで送液を行うための送液ポンプと開閉弁が設けられている。
【０００４】
そして、上述の血液透析装置では、透析液交換工程と透析液供給工程が交互に行われる。透析液交換工程では、透析液交換回路において開閉弁が開かれ、送液ポンプにより透析液が容器の第１の室に供給されるとともに、容器の隔壁が第２の室側に押され、第２の室の透析廃液が外部に排液される。透析液供給工程では、透析液供給回路において開閉弁が開かれ、送液ポンプにより容器の第１の室の透析液が透析器に供給され、容器の隔壁が第１の室側に移動するとともに、透析器の透析廃液が容器の第２の室に排液される。
この血液透析装置では、原理的に容器の隔壁が移動した分、第１の室の透析液が透析器に供給され、透析器から第２の室に排液されるので、透析液の供給量と排液量を制御しやすくなり、この結果、患者の除水量を管理しやすくなる。
【０００５】
一般的に、１サイクルの透析液供給工程の処理時間と透析液交換工程の処理時間は、患者の除水量や除水速度に基づいて定められている。従来より透析液供給開始は、開閉弁を開放することにより行われ、透析液供給終了は、開閉弁を閉鎖することにより行われており、透析液供給工程の処理時間は、開閉弁の開放時間と一致している。
【先行技術文献】
【特許文献】
【０００６】
【特許文献１】特開平５−１４６５０６号公報
【特許文献２】特開２０００−１２６２８４号公報
【特許文献３】特開昭５５−５９８１６号公報
【特許文献４】国際公開第２０１１／０４９１９６号
【発明の概要】
【発明が解決しようとする課題】
【０００７】
ところが、上述の場合、容器の隔壁が第１の室側に動き終わっても、予め設定された透析液供給工程の処理時間が経過していないと、開閉弁は開放されたままであり、送液ポンプの圧力により容器の第２の室に透析廃液を入れ込もうとする。この結果、容器の第２の室が僅かに膨張したり隔壁が変形して第２の室の容積が大きくなり、その分第２の室に余分な透析廃液が入り込むことがある。この場合、容器における透析液の供給量と透析排液の受け取り量とのバランスが崩れ、これが除水量の誤差を引き起こし、患者の除水量を正確に制御することが困難になる。
【０００８】
また、仮に隔壁が移動し終えたタイミングで、透析液供給工程と透析液交換工程を切り替えていくと、隔壁の移動時間が何らかの理由で変動したときに、各回の透析液供給工程の処理時間が不規則に変わり、透析器流量が変動する可能性がある。
【０００９】
本発明はかかる点に鑑みてなされたものであり、患者の除水量や除水速度をより厳格に制御できる血液透析装置と、血液透析装置の作動方法を提供することをその目的とする。
【課題を解決するための手段】
【００１０】
上記目的を達成するための本発明は、透析器と、内部を第１の室と第２の室に隔てる変位可能な隔壁を有する容器と、前記第１の室に透析液を供給するとともに、前記第２の室の透析廃液を外部に排出する透析液交換回路と、前記透析液交換回路を通じて前記第１の室に透析液を送る第１の送液ポンプと、前記透析液交換回路を開閉する第１の開閉装置と、前記第１の室の前記透析液を前記透析器に供給するとともに、前記透析器から前記第２の室に透析廃液を排出する透析液供給回路と、前記透析液供給回路を通じて前記第２の室に透析廃液を送る第２の送液ポンプと、前記透析液供給回路を開閉する第２の開閉装置と、前記第１の送液ポンプを稼働して前記第１の室に透析液を供給し、前記隔壁が前記第２の室側に変位し、前記第２の室から外部に透析廃液を排出する透析液交換工程と、前記第２の送液ポンプを稼働し、前記隔壁が前記第１の室側に変位し、前記第１の室から前記透析器に透析液を供給し、前記透析器から前記第２の室に透析廃液を排出する透析液供給工程を、それぞれ予め定められている一定の処理時間で交互に実行し、前記透析液供給工程において、当該工程の前記処理時間より短い所定時間、前記第２の開閉装置により前記透析液供給回路を開放して前記第２の室に透析排液を排出し、前記隔壁の前記第１の室側への変位が完了した時又はその後、前記第２の開閉装置により前記透析液供給回路を閉鎖する制御部と、を有する血液透析装置である。なお、隔壁の「変位」には、隔壁全体が移動するもののみならず、隔壁自体の動作で起こる形状変化による変位も含む。
【００１１】
本発明によれば、第２の開閉装置を開放する所定時間を、透析液供給工程の処理時間より短くし、前記隔壁の前記第１の室側への変位が完了した時又はその後、第２の開閉装置により透析液供給回路を閉鎖するので、隔壁が変位し終えた後処理時間が経過するまで、第２の開閉装置を開き続けることがなくなる。このため、容器の第２の室に予定外の透析廃液を排出することを防止し、容器における透析液の供給量と透析廃液の受け取り量とのバランスを維持できる。また、透析液供給工程の処理時間は一定に保たれ、常に所定の量の透析液を透析器に供給することができる。よって、患者の除水量の誤差を抑制すると同時に透析液量を正確に制御できる。
【００１２】
前記制御部は、前記所定時間を、前記隔壁の前記第２の室側への変位が完了した時から０．５sec以内に、前記第２の開閉装置により前記透析液供給回路を閉鎖するように定めていてもよい。かかる場合、隔壁の変位が完了した直後に第２の開閉装置により透析液供給回路が閉鎖されるので、第２の室に余分な透析廃液が入り過剰な除水が行われることを防止できる。
【００１３】
前記第２の送液ポンプの送液流量が、前記第１の送液ポンプの送液流量よりも低く設定されていてもよい。かかる場合、隔壁の第１の室側への変位が完了するまでの時間が長くなり、この結果、処理時間内における透析液が透析器に供給される時間の割合が大きくなる。また、隔壁の第１の室側への変位が完了した後に、第２の室に透析廃液が供給され得る場合でも、その液量が少なくなる。よって、第２の室へ入り込む過剰の透析廃液の量を抑制できる。
【００１４】
上記血液透析装置は、前記第２の室側又は前記第１の室側に変位した前記隔壁を元の位置に戻すための復元力を付与する復元力付与機構を、さらに有していてもよい。かかる場合、送液ポンプの負担を低減できる。その一方で、第２の室側に変位した隔壁を元に戻す復元力がある場合、隔壁の第１の室側への変位が速くなり、隔壁の第１の室側への変位が短時間で完了し、当該変位が完了してから処理時間が経過するまでの時間が長くなってしまう。よって、本発明のように第２の開閉装置による透析液供給回路の開放時間を短くして、第２の室に予定外の透析廃液が入り込むことを防止するメリットは大きい。第１の室側に変位した隔壁を元に戻す復元力がある場合、隔壁の第１の室側への変位が完了するまで時間を要し、当該変位が完了してから処理時間が経過するまでの時間が短くなる。よって、第２の室に透析廃液の供給圧がかかる時間が短縮され、第２の室に予定外の透析廃液が入り込むことを抑制できる。
【００１５】
前記制御部は、前記透析液交換工程において、当該工程の前記処理時間より短い所定時間、前記第１の開閉装置により前記透析液交換回路を開放して前記第１の室に透析液を供給し、前記隔壁の前記第２の室側への変位が完了した時又はその後、前記第１の開閉装置により前記透析液交換回路を閉鎖するものであってもよい。かかる場合、第１の開閉装置を開放する所定時間を、透析液交換工程の処理時間より短くし、前記隔壁の前記第２の室側への変位が完了した時又はその後、第１の開閉装置により透析液交換回路を閉鎖するので、隔壁が変位し終えた後処理時間が経過するまで、第１の開閉装置を開き続けることがなくなる。このため、容器の第１の室に過剰に透析液を供給することを防止でき、その結果、容器における透析液の供給量と透析廃液の受け取り量のバランスを維持できる。また、透析液交換工程の処理時間は一定に保たれるので、透析器に供給される透析液の量は変動しない。よって、透析液の供給量の正確さを維持しつつ、患者の除水量や除水速度の誤差を抑制できる。
【００１６】
前記容器は、合成樹脂からなるものであってもよい。かかる場合、容器が膨張しやすいため、第２の室に過剰な透析廃液が入り込みやすくなるので、上述のように第２の開閉装置を開放する時間を短くするメリットは大きい。
【００１７】
上記血液透析装置は、前記隔壁の変位の完了を検出する手段を、さらに有するものであってもよい。かかる場合、隔壁が変位し終えたタイミングを正確に把握し、それを受けて、第１の開閉装置、或いは第２の開閉装置を閉鎖することができる。この結果、隔壁の移動が完了した後に透析廃液を第２の室に送りこんだり、透析液を第１の室に送りこむことを確実に防止できる。
【００１８】
前記容器と、前記透析液交換回路と、前記透析液供給回路と、前記第１の開閉装置及び前記第２の開閉装置からなる系を、前記透析器に対し並列的に二つ備え、第１の系において前記透析液交換工程が行われている際に、第２の系において前記透析液供給工程を行い、前記第１の系において前記透析液供給工程が行われている際に、前記第２の系において前記透析液交換工程を行うものであってもよい。
【００１９】
別の観点による本発明は、透析器と、内部を第１の室と第２の室に隔てる変位可能な隔壁を有する容器と、前記第１の室に透析液を供給するとともに、前記第２の室の透析廃液を外部に排出する透析液交換回路と、前記透析液交換回路を通じて前記第１の室に透析液を送る第１の送液ポンプと、前記透析液交換回路を開閉する第１の開閉装置と、前記第１の室の前記透析液を前記透析器に供給するとともに、前記透析器から前記第２の室に透析廃液を排出する透析液供給回路と、前記透析液供給回路を通じて前記第２の室に透析廃液を送る第２の送液ポンプと、前記透析液供給回路を開閉する第２の開閉装置と、を有する血液透析装置の作動方法であって、前記第１の送液ポンプを稼働して前記第１の室に透析液を供給し、前記隔壁が前記第２の室側に変位し、前記第２の室から外部に透析廃液を排出する透析液交換工程と、前記第２の送液ポンプを稼働し、前記隔壁が前記第１の室側に変位し、前記第１の室から前記透析器に透析液を供給し、前記透析器から前記第２の室に透析廃液を排出する透析液供給工程を、それぞれ予め定められている一定の処理時間で交互に実行し、前記透析液供給工程において、当該工程の前記処理時間より短い所定時間、前記第２の開閉装置により前記透析液供給回路を開放して前記第２の室に透析排液を排出し、前記隔壁の前記第１の室側への変位が完了した時又はその後、前記第２の開閉装置により前記透析液供給回路を閉鎖する制御部を作動する、血液透析装置の作動方法である。
【００２０】
前記制御部は、前記透析液交換工程において、当該工程の前記処理時間より短い所定時間、前記第１の開閉装置により前記透析液交換回路を開放して前記第２の室に透析液を供給し、前記隔壁の前記第１の室側への変位が完了した時又はその後、前記第１の開閉装置により前記透析液交換回路を閉鎖するものであってもよい。
【発明の効果】
【００２１】
本発明によれば、変形しやすい樹脂などの素材を用いた場合でも、簡単な制御手法により、容器から透析器へ供給される透析液の量と透析器を通って容器に戻される透析廃液の量を精度良く一致させることができるので、除水量や除水速度を厳格に制御できる安価な血液透析装置を実現できる。
【図面の簡単な説明】
【００２２】
【図１】血液透析装置の構成の概略を示す模式図である。
【図２】血液透析装置の新たな透析液の容器への供給、ならびに容器からの透析廃液の排液の状態を示す説明図である。
【図３】開閉弁の動作を示すタイミングチャートである。
【図４】血液透析装置の透析液の透析器への供給、ならびに透析液廃液の容器への排液の状態を示す説明図である。
【図５】センサを設けた血液透析装置の構成の概略を示す説明図である。
【図６】二つの容器が並列的に設けられた場合の血液透析装置の構成を示す模式図である。
【図７】実施例の第１の条件から第５の条件での開閉弁の動作を示すタイミングチャートである。
【発明を実施するための形態】
【００２３】
以下、図面を参照して、本発明の好ましい実施の形態について説明する。図１は、本実施の形態に係る血液透析装置１の構成の概略を示す説明図である。
【００２４】
血液透析装置１は、例えば透析器１０と、血液循環回路１１と、容器１２と、透析液供給回路１３と、透析液交換回路１４と、制御部１５を有している。
【００２５】
透析器１０は、例えば中空糸膜を内蔵した中空糸モジュールであり、中空糸膜の一次側１０ａに患者の血液を通過させつつ、中空糸膜の二次側１０ｂに透析液を通過させ、一次側１０ａの血液に含まれる老廃物等を中空糸膜を通じて二次側１０ｂに透過させて血液を浄化することができる。
【００２６】
血液循環回路１１は、例えば患者に穿刺される針部２０から透析器１０の一次側１０ａの入口端１０ｃに接続された第１の血液流路２１と、透析器１０の一次側１０ａの出口端１０ｄから他の針部２２に接続された第２の血液流路２３を有している。第１の血液回路２１には、送液ポンプ２４が設けられている。
【００２７】
容器１２は、例えば合成樹脂製の円筒状に形成され、例えば内部を軸方向に第１の室３０と第２の室３１に隔てる変位可能な隔壁３２と、当該隔壁３２の変位を許容しつつ当該隔壁３２に第１の室３０側への復元力を与える復元力付与機構３３を有している。すなわち、容器１２は、いわゆる自己復帰型の隔壁３２を有している。
【００２８】
隔壁３２は、例えば伸縮性を有するダイアフラムにより構成されている。隔壁３２は、容器１２の軸方向の中央付近に固定されている。隔壁３２は、例えば伸縮性を有するエラストマーからなるダイアフラムであってもよく、その伸縮性そのものが復元力となる。なお、隔壁３２は、その他、グラスファイバー強化型のゴム材料からなるダイアフラムや、ステンレスの同心円波状のダイアフラムのようなもので、それ自体が形状復元力をもつものであってもよい。
【００２９】
復元力付与機構３３は、例えば隔壁３２を第２の室３１側から第１の室３０側に押圧する押圧部材４０と、当該押圧部材４０の軸方向の往復移動をガイドするガイド軸４１と、押圧部材４０を第１の室３０側に付勢する弾性体としてのバネ４２を有している。
【００３０】
押圧部材４０は、例えば円筒状に形成され、第２の室３１側の面の中央にガイド挿入部４０ａが形成されている。ガイド軸４１は、容器１２の軸方向の第２の室３１側の内壁面１２ａの中央から第１の室３０側の軸方向に向けて形成されている。ガイド軸４１は、押圧部材４０のガイド挿入部４０ａに挿入され、これにより、押圧部材４０は、軸方向に往復移動できる。なお、バネ４２が伸縮しつつ安定して押圧部材４０を移動させることができるのであれば、ガイド軸４１は無くても動作上は問題無い。
【００３１】
例えばガイド軸４１には、バネ４２が挿入され、容器１２の軸方向の内壁面１２ａと押圧部材４０との間にバネ４２が介在されている。このバネ４２により押圧部材４０及び隔壁３２が第１の室３０側に付勢され、隔壁３２が第２の室３１側に移動した際には復元力が生じる。なお、バネ４２の自然長の位置は、隔壁３２が第１の室３０側に移動し終えたときの初期位置に設定されている。
【００３２】
透析液供給回路１３は、例えば容器１２の第１の室３０から透析器１０に通じる第１の透析液供給流路５０と、透析器１０から第２の室３１に通じる第２の透析液供給流路５１を有している。また、第２の透析液供給流路５１には、第２の送液ポンプ５２が設けられている。第１の透析液供給流路５０には、当該流路５０を開閉する開閉弁６０が設けられており、第２の透析液供給流路５１には、当該流路５１を開閉する開閉弁６１が設けられている。開閉弁６１は、第２の送液ポンプ５２と容器１２の間に設けられている。第２の送液ポンプ５２の送液圧力は、透析液供給回路１３の圧力損失と、復元力付与機構３３の復元力を考慮して定められる。なお、本実施の形態では、開閉弁６０、６１が、本発明における第２の開閉装置を構成する。
【００３３】
透析液交換回路１４は、例えば透析液供給源７０から容器１２の第１の室３０に通じる第１の透析液交換流路８０と、容器１２の第２の室３１から外部に通じる第２の透析液交換流路８１を有している。第１の透析液交換流路８０には、透析液供給源７０の透析液を第１の室３０に圧送する第１の送液ポンプ８２と、当該流路８０を開閉する開閉弁８３が設けられている。第２の透析液交換流路８１には、当該流路８１を開閉する開閉弁８４が設けられている。開閉弁８３は、容器１２と第１の送液ポンプ８２との間に設けられている。第１の送液ポンプ８２の送液圧力は、透析液交換回路１４の圧力損失と、復元力付与機構３３の復元力を考慮して定められる。なお、本実施の形態において、開閉弁８３、８４が、本発明における第１の開閉装置を構成する。
【００３４】
第２の透析液供給流路５１には、除水量を調整するための分岐路９０が接続され、分岐路９０には、第２の透析液供給流路５１の透析廃液を分岐路９０に引き込むための送液ポンプ９１が設けられている。
【００３５】
制御部１５は、血液透析装置１の全体の動作を制御するコンピュータであり、例えば後述のようにポンプ２４、５２、８２、９１、開閉弁６０、６１、８３、８４等の動作を制御して、血液透析装置１を作動させることができる。
【００３６】
次に、以上のように構成された血液透析装置１の動作を説明する。
【００３７】
血液透析処理時の患者側では、針部２０、２２が患者に穿刺され、ポンプ２４により患者の血液が第１の血液流路２１を通じて透析器１０に供給される。血液は、透析器１０の中空糸膜の一次側１０ａを通り、その後第２の血液流路２３を通って患者に戻される。
【００３８】
一方、容器１２側では、透析液交換工程と透析液供給工程が交互に繰り返される。透析液交換工程と透析液供給工程は、それぞれ予め定められた一定の処理時間Ｔ１、Ｔ２行われる。これらの処理時間Ｔ１、Ｔ２は、透析治療毎に予め設定される除水量、除水速度等に基づいて設定される。
【００３９】
例えば透析液交換工程では、予め第１の送液ポンプ８２が作動した状態で、図２に示すように開閉弁６０、６１が閉鎖され、開閉弁８３、８４が開放され、第１の送液ポンプ８２により透析液供給源７０の新しい透析液が容器１２の第１の室３０内に供給される。第１の室３０に供給された新しい透析液により、初期位置にあった隔壁３２及び押圧部材４０が、バネ４２の復元力に抗して第２の室３１側に押されて、第１の室３０の容積が増大する。これに伴い第２の室３１の容積が縮小し、既に第２の室３１内に充填されている透析廃液が隔壁３２及び押圧部材４０により押し出され、第２の透析液交換流路８１を通じて外部に排出される。隔壁３２は、初期位置から第２の室３１側の所定の第２の位置まで移動する。こうして、容器１２に対する透析液の交換が行われる。第１の室３０では、隔壁３２が移動し容積が増大した分の透析液が充填され、第２の室３１では、隔壁３２が移動し容積が減少した分の透析廃液が排出され、それらの透析液と透析廃液の量は一致する。
【００４０】
ここで、透析液交換工程における開閉弁８３、８４を開放している所定時間としての開放時間について説明する。図３は、開閉弁８３、８４及び開閉弁６０、６１の開放時間を示すタイミングチャートである。
【００４１】
上述のように透析液交換工程では、開閉弁８３、８４を開放することにより、第１の室３０に透析液が供給される。この開閉弁８３、８４の開放時間Ｓ１は、処理時間Ｔ１よりも短く、隔壁３２の第２の室３１側への変位が完了する時間に応じて、例えば隔壁３２の初期位置から第２の位置への移動が完了するまでにかかる変位時間Ｇ１と同じかそれより長く設定されている。すなわち、開閉弁８３、８４が開放され、第１の室３０に透析液が供給され始めると共に、隔壁３２の第２の室３１側への移動が開始され、その後、隔壁３２の第２の位置への移動が完了したと同時、或いはその後に開閉弁８３、８４が閉鎖される。そして、透析液交換工程の処理時間Ｔ１が経過するまで、その状態が維持され、処理時間Ｔ１が経過すると、次の透析液供給工程が開始される。開閉弁８３、８４が閉鎖されるタイミング（開放時間Ｓ１の終了タイミング）は、隔壁３２が第２の位置に移動し終えた時から０．５sec以内のタイミングが好ましい。以上のようにすることよって、処理時間Ｔ１よりも開放時間Ｓ１が短くなり、隔壁３２の移動が終わった後に、第１の室３０に対し透析液の供給圧がかかる時間が短縮されるので、容器１２が膨張して余分な透析液が第１の室３０に入り込むことを防止できる。
【００４２】
透析液交換工程が終了すると直ちに透析液供給工程が開始される。この透析液供給工程では、予め第２の送液ポンプ５２が作動した状態で、図４に示すように開閉弁８３、８４が閉鎖され、開閉弁６０、６１が開放され、第２の送液ポンプ５２の送液圧力ならびに容器１２のバネ４２の復元力により、隔壁３２及び押圧部材４０が第１の室３０側に移動し、第１の室３０内の新しい透析液が、第１の透析液供給流路５０を通じて透析器１０に供給される。透析液は、透析器１０の二次側１０ｂを流れ、この際、当該透析液には、一次側１０ａを流れる患者の血液から中空糸膜を通過した老廃物等が取り込まれる。その後、透析器１０の老廃物を含む透析廃液は、第２の透析液供給流路５１を通じて容器１２の第２の室３１に排出される。容器１２の第１の室３０では、隔壁３２が移動し容積が減少した分の透析液が送出され、第２の室３１では、隔壁３２が移動し容積が増大した分の透析廃液が流入し、それらの透析液と透析廃液の量は一致する。このとき隔壁３２は、第２の位置から初期位置まで移動する。
【００４３】
また、透析液供給工程では、ポンプ９１が作動し、第２の透析液供給流路５１を通る一部の透析廃液を分岐路９０に引き込み排出する。容器１２に出入りする透析液と透析廃液の量が一致しているため、この分岐路９０を通じて排出された透析廃液の量が、透析器１０を通じて患者の血液から排出される除水量となる。
【００４４】
ここで、透析液供給工程における開閉弁６０、６１を開放している所定時間としての開放時間について説明する。
【００４５】
上述のように透析液供給工程では、開閉弁６０、６１を開放することにより、第１の室３０から透析器１０に透析液が供給され、透析器１０から第２の室３１に透析廃液が排出される。図３に示すように開閉弁６０、６１の開放時間Ｓ２は、処理時間Ｔ２よりも短く、隔壁３２の第１の室３０側への変位が完了する時間に応じて、例えば隔壁３２の第２の位置から初期位置への移動が完了するまでにかかる変位時間Ｇ２と同じかそれより長く設定されている。すなわち、開閉弁６０、６１が開放され、第２の室３１に透析廃液が排出され始めると共に、隔壁３２の第１の室３０側への移動が開始され、その後、隔壁３２の初期位置への移動が完了したと同時、或いはその後に開閉弁６０、６１が閉鎖される。そして、透析液供給工程の処理時間Ｔ２が経過するまで、その状態が維持され、処理時間Ｔ２が経過すると、再び上記透析液交換工程が開始される。開閉弁６０、６１が閉鎖されるタイミング（処理時間Ｓ２の終了タイミング）は、隔壁３２が初期位置に移動し終えたタイミングから０．５sec以内のタイミングが好ましい。以上のようにすることによって、処理時間Ｔ２よりも開放時間Ｓ２が短くなり、隔壁３２の移動が終わった後に、第２の室３１に透析廃液の供給圧がかかる時間が短縮されるので、容器１２が膨張して余分な透析廃液が第２の室３１に入り込むことを防止できる。
【００４６】
上記透析液交換工程と透析液供給工程が所定回数繰り返され、予め設定されている所望の除水量、透析時間の透析治療が行われる。
【００４７】
なお、隔壁３２の移動が完了するタイミングは、予め実測により知得してもよいし、ポンプの供給圧、容器１２の容積等から推定してもよい。また、隔壁３２の移動を機械的に検出し、隔壁３２の動作の完了のタイミングをより正確に把握してもよい。隔壁３２の動作の確認手段としては、容器１２の外部から光学的に検出したり、容器１２の内部に位置検出のスイッチを設置し隔壁３２の動作に伴いスイッチが反応することで検出するなど、いくつかの手段が考えられるが、適宜選択が可能である。
【００４８】
本実施の形態によれば、透析液供給工程において、開閉弁６０、６１を開放する開放時間Ｓ２を、処理時間Ｔ２よりも短くし、隔壁３２の第１の室３０側への変位が完了した時又はその後、開閉弁６０、６１により透析液供給回路１３を閉鎖するので、隔壁３２が変位し終えた後に第２の室３１に透析廃液の送液圧が付加される時間が短縮され、容器１２が膨張して第２の室３１に余分な透析廃液が排出されるのを抑制できる。これにより、容器１２の第１の室３０から透析器１０に供給される透析液の量と透析器１０から第２の室３１に排出される透析廃液の量のずれが抑制される。この結果、透析治療の除水量の誤差が抑えられ、除水量を厳格に制御することが可能となる。また、透析液供給工程の処理時間Ｔ２は、開放時間Ｓ２に左右されず一定に保たれるので、単位時間当たりの透析液供給工程の実施回数を一定に保て、所望の透析液量での透析を実施できる。
【００４９】
開放時間Ｓ２を、隔壁３２の第１の室３０側への変位が完了した時から０．５sec以内に、開閉弁６０、６１により透析液供給回路１３を閉鎖するように定めているので、隔壁３２の変位が完了した後に開閉弁６０、６１を開放している時間がほとんどなく、第２の室３１に余分な透析廃液が送られないので、患者から過剰な除水が行われることを防止できる。
【００５０】
血液透析装置１が、第２の室３１側に変位した隔壁３２を元の位置に戻すための復元力を付与する復元力付与機構３３を有しているので、隔壁３２の第１の室３０側への移動が速くなり、隔壁３２の第１の室３０側への移動完了時間が短縮され（図３の変位時間Ｇ２が短くなる）、当該移動完了時間と開閉弁６０、６１の開放時間に差ができやすくなる。かかる場合において、本実施の形態のように開放時間Ｓ２を処理時間Ｔ２より短くすることにより、移動完了時間と開閉弁６０、６１の開放時間の差が緩和され、第２の室３１に過剰な透析廃液が入り込むことを防止する効果は大きい。
【００５１】
本実施の形態では、透析液交換工程においても、当該工程の処理時間Ｔ１より短い開放時間Ｓ１、開閉弁８３、８４により透析液交換回路１４の流路を開放して第１の室３０に透析液を供給し、隔壁３２の第２の室３１側への変位が完了した時又はその後、開閉弁８３、８４により透析液交換回路１４を閉鎖するようにしている。このため、隔壁３２が変位し終えた後に第１の室３０に透析液の送液圧が付与される時間が短縮され、容器１２が膨張して第１の室３０に余分な透析液が供給されるのを抑制できる。これにより、容器１２の第１の室３０に規定量の透析液が供給され、透析器１０への透析液の供給が規定通りに行われ、除水量の誤差の小さい透析治療を行うことができる。
【００５２】
合成樹脂の容器１２は膨張しやすく、第２の室３１に過剰な透析廃液が入り込みやすくなるので、上述のように開放時間Ｓ２を短くするメリットは大きい。すなわち、隔壁３２の変位と復元により、容器１２の透析液を透析器１０に供給すると同時に、透析器１０から容器１２内に透析廃液を送液する際の、柔軟性のある隔壁３２や、変形しやすい容器１２の望ましくない変形による透析液流量誤差の発生を抑え、簡単な制御法により、容器１２から透析器１０に供給される透析液の量と、透析器１０を通って容器１２に戻される透析廃液の量を精度よく一致させることができる。この結果、従来高価であった金属部品を使用する必要も無くなり、また安価な樹脂で作成することで容器周辺をユニット化することができるため、定期的な交換もユニットごと行うことが可能となりメンテナンスが容易かつ安価に実施できる。このことから、容器１２に関する恒久部品が減るため、故障のリスクが低減し、装置の安全性のさらなる向上が図られる。なお、容器１２の材質が、外力により変形を起こす可能性のある軟質或いは薄い金属などであっても同様の効果が得られる。
【００５３】
本実施の形態では、透析液供給工程と透析液交換工程の両方において、開放時間Ｓ１、Ｓ２を、処理時間Ｔ１、Ｔ２より短くし、隔壁３２の移動が完了する時間に応じて定めていたが、透析液供給工程でのみ開放時間Ｓ２を処理時間Ｔ２より短くし透析液交換工程では開放時間Ｓ１を処理時間Ｔ１と同じにしてもよい。また、逆に、透析液交換工程でのみ開放時間Ｓ１を処理時間Ｔ１より短くし透析液供給工程では開放時間Ｓ２を処理時間Ｔ２と同じにしてもよい。
【００５４】
本実施の形態のように、開閉弁による透析液交換工程と透析液供給工程の切り替えを、間をおかずに瞬時に行うのが送液量を増やす上では望ましい。一方、隔壁３２の動作の安定を考えた場合、透析液交換工程と透析液供給工程の切り替わりの際に、総ての開閉弁６０、６１、８３、８４を一時的に閉鎖する待機時間を設けることも効果的である。
【００５５】
本実施の形態において、復元力付与機構３３は必ずしも必要なく、この場合、後述の第２の送液ポンプ５２の送液圧を利用することで隔壁３２の移動が行われ、容器１２の第１の室３０から透析器１０への透析液の送液と、透析器１０から第２の室３１への透析廃液の送液を適切に行うことができる。
【００５６】
また、復元力付与機構３３は、第１の室３０側に移動した隔壁３２を第２の室３１側に戻す復元力を与えるものであってもよい。この場合、第２の室３１に透析廃液を流入させる際に負荷が生じるため、隔壁３２の第１の室３０側への移動に時間がかかる（図３の変位時間Ｇ２が長くなる）。このため、隔壁３２の第１の室３０側への移動が完了するタイミングを遅くすることができ、これによって、処理時間内における透析液が透析器１０に供給される時間の割合が大きくなる。
【００５７】
上記実施の形態において、第２の送液ポンプ５２の送液流量（例えば送液圧）を第１の送液ポンプ８２の送液流量（例えば送液圧）よりも低く設定してもよい。かかる場合、隔壁３２の第１の室３０側への移動が完了するタイミングが遅くなる（図３の変位時間Ｇ２が長くなる）。この結果、隔壁３２の第１の室３０側への移動が完了した後に第２の室３１にかかる透析廃液の供給圧力が低く、弁６０、６１が閉じられるまでに第２の室３１が膨張して過剰の透析廃液が入り込む可能性をさらに抑制できる。
【００５８】
上記実施の形態において、血液透析装置１が、隔壁３２の変位の完了を検出する手段を、さらに備えていてもよい。かかる場合、例えば図５に示すように容器１２内に隔壁３２の位置を検出するセンサ１００が設けられる。このセンサ１００の検出結果は、制御部１５に出力される。そして、例えばこのセンサ１００により隔壁３２が移動し終えたタイミングを正確に把握し、制御部１５が、それを受けて、その直後に開閉弁６０、６１、或いは開閉弁８３、８４を閉鎖することができる。この結果、隔壁３２の移動が完了した後に透析廃液を第２の室３１に送りこんだり、透析液を第１の室３０に送りこむことを確実に防止できる。なお、センサ１００は、隔壁３２の第１の室３０側への移動の完了タイミング及び第２の室３２側への移動の完了タイミングのいずれか一方であっても良いし、両方を検出するものであってもよい。
【００５９】
別の実施の形態として、図６に示すように、容器１２、透析液供給回路１３、透析液交換回路１４、開閉弁６０、６１、開閉弁８３、８４からなる系を、透析器１０に対して並列的に二つ設けてもよい。上記実施の形態で記載した第１の系に対し追加された第２の系を、容器１５０、透析液供給回路１５１、透析液交換回路１５２、開閉弁１５３、１５４、開閉弁１５５、１５６とする。透析液供給回路１５１は、第１の透析液供給流路１６０と第２の透析液供給流路１６１を有し、透析液交換回路１５２は、第１の透析液交換流路１７０と第２の透析液交換流路１７１を有している。容器１５０は、第１の室１８０、第２の室１８１及び隔壁１８２を有している。なお、復元力付与機構３３は、同じ符号を用いて説明を省略する。
【００６０】
かかる実施の形態においては、第１の系において透析液交換工程が行われている際に、第２の系において透析液供給工程を行い、第１の系において透析液供給工程が行われている際に、第２の系において透析液交換工程を行う。
【００６１】
具体的には、第１の系において、開閉弁８３、８４が開放され、第１の送液ポンプ８２により透析液供給源７０から新しい透析液が容器１２の第１の室３０内に供給されるとともに、既に第２の室３１内に充填されていた透析廃液が隔壁３２及び押圧部材４０により押し出される。このとき、第２の系では、開閉弁１５３、１５４が開放され、第１の室１８０内の新しい透析液が容器１５０から押し出され、第１の透析液供給流路１６０を通じて透析器１０に供給されるとともに、透析器１０の透析廃液が、第２の透析液供給流路１６１を通じて容器１５０の第２の室１８１に戻される。このとき第１の系の透析液交換工程における開閉弁８３、８４の開放時間Ｓ１は、処理時間Ｔ１より短く、開閉弁８３、８４は、壁３２の第２の室３１側への移動が完了した時、またはその後に閉鎖される。また、第２の系の透析液供給工程における開閉弁１５３、１５４の開放時間Ｓ２は、処理時間Ｔ２よりも短く、開閉弁１５３、１５４は、隔壁１８２の第１の室１８０側への移動が完了した時、またはその後に閉鎖される。
【００６２】
次に、第１の系における透析液交換工程の処理時間Ｔ１が経過すると、第１の系では、透析液供給工程が開始され、開閉弁６０、６１が開放され、第１の室３０内の定量の新しい透析液が容器１２から押し出され、第１の透析液供給流路５０を通じて透析器１０に供給されるとともに、透析器１０の透析廃液が、容器１２の第２の室３１に戻される。このとき、第２の系では、開閉弁１５５、１５６が開放され、第１の送液ポンプ８２により透析液供給源７０から新しい透析液が容器１５０の第１の室１８０内に供給されるとともに、既に第２の室１８１内に充填されていた透析廃液が第１の送液ポンプ８２の吐出圧力による隔壁１８２の第２の室１８１への移動により押し出される。この第１の系の透析液供給工程における開閉弁６０、６１の開放時間Ｓ２は、処理時間Ｔ２より短く、開閉弁６０、６１は、壁３２の第１の室３０側への移動が完了した時、またはその後に閉鎖される。また、第２の系の透析液交換工程における開閉弁１５５、１５６の開放時間Ｓ１は、処理時間Ｔ１よりも短く、開閉弁１５５、１５６は、壁１８２の第２の室１８１側への移動が完了した時、またはその後に閉鎖される。
【００６３】
第１の系における透析液供給工程と第２の系における透析液交換工程が終了すると、再び上述の第１の系における透析液交換工程と第２の系における透析液供給工程が行われる。かかる実施の形態によれば、装置全体において透析液供給工程と透析液交換工程が連続的に行われるので、透析効率を向上できる。
【００６４】
なお、透析液交換工程の処理時間Ｔ２は、透析液供給工程の処理時間Ｔ１と同じかそれより短くなっているとよい。これにより、第１の系又は第２の系のいずれかで透析液供給工程が終了した後、直ちにもう一方の系の透析液供給工程を開始できるので、少なくとも透析器１０に対する透析液の供給が途切れることがなく、連続的に行われる。これにより、透析効率がさらに上がる。
【００６５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００６６】
例えば容器１２の材質は、樹脂に限られず、金属等の他の材質であってもよい。隔壁３２は、ダイアフラム式の構造ではなく、ピストン式の構造であってもよい。
【実施例】
【００６７】
以下に実施例を示す。図１に示す構成の血液透析装置１を用いて、透析液交換回路１４の第１の送液ポンプ８２と透析液供給回路１３の第２の送液ポンプ５２の吐出圧力を変化させたり、透析液交換回路１４の開閉弁８３、８４と透析液供給回路１３の開閉弁６０、６１の開閉のタイミングを変化させた場合の容器１２の第１の室３０と第２の室３１の排出量の差を測定した。図７に、以下の第１の条件から第５の条件での開閉弁の開閉のタイミングチャートを示す。図７中の各点線間隔は０．２秒である。
【００６８】
第１の条件
第１の送液ポンプ８２と第２の送液ポンプ５２の吐出圧力をそれぞれ１００ｋＰａ、１００ｋＰａに調整し、開閉弁６０、６１及び開閉弁８３、８４をそれぞれ２秒ずつ、交互に開放させた。すなわち、開閉弁６０、６１の開、開閉弁８３、８４の閉の状態を２秒維持し、その後開閉弁６０、６１の閉、開閉弁８３、８４の開の状態を２秒維持し、その後再び開閉弁６０、６１を開、開閉弁８３、８４を閉にすることを繰り返した。この場合、開放時間Ｓ１が処理時間Ｔ１と同じ２秒、開放時間Ｓ２が処理時間Ｔ２と同じ２秒になる。また、隔壁３２の第１の室３０側への移動が完了する時間が０．９秒であり、隔壁３２の第２の室３１側への移動が完了する時間が１．８秒であった。透析器１０を通って容器１２の第２の室３１に供給される透析廃液の流量は、容器１２の第１の室３０から透析液１０に排出される透析液流量よりも、１分あたり２．９３ｍＬ多かった。
【００６９】
第２の条件
第１の送液ポンプ８２と第２の送液ポンプ５２の吐出圧力をそれぞれ１００ｋＰａ、６０ｋＰａとし、「第１の条件」に対し第２の送液ポンプ５２の吐出圧力を下げた。開閉弁６０、６１と開閉弁８３、８４は「第１の条件」と同じく、それぞれ２秒ずつ、交互に開放させた。この場合、開放時間Ｓ１が処理時間Ｔ１と同じ２秒、開放時間Ｓ２が処理時間Ｔ２と同じ２秒になる。また、隔壁３２の第１の室３０側への移動が完了する時間が１．２秒であり、隔壁３２の第２の室３１側への移動が完了する時間が１．８秒であった。透析器１０を通って容器１２の第２の室３１に供給される透析廃液の流量は、容器１２の第１の室３０から透析器１０に排出される透析液流量よりも１分あたり０．９３ｍＬ多かった。
【００７０】
第３の条件
次に、第１の送液ポンプ８２と第２の送液ポンプ５２の吐出圧力を「第２の条件」と同じでそれぞれ１００ｋＰａ、６０ｋＰａに調整し、一方、処理時間Ｔ１、Ｔ２を２秒に維持しながら、開閉弁６０、６１の開放時間Ｓ２（＝開閉弁８３、８４の閉鎖時間）を１．４秒、開閉弁８３、８４の開放時間Ｓ１（＝開閉弁６０、６１の閉鎖時間）を２．０秒として動作させた。この場合、開放時間Ｓ２が処理時間Ｔ２より短くなり、隔壁３２の第１の室３０側への移動が完了する時間が１．２秒であり、隔壁３２の第２の室３１側への移動が完了する時間が１．８秒であった。透析器１０を通って容器１２の第２の室３１に供給される透析廃液の流量は、容器１２の第１の室３０から透析器１０に排出される透析液流量よりも、１分あたり０．２３ｍＬ／ｍｉｎ多く、上述の条件１、２の場合に比べてその差が著しく小さくなった。
【００７１】
以上の第１〜第３の条件の結果を表１にまとめて示す。
【表１】
2015009105.tif 000003
【００７２】
第１の条件の場合、隔壁３２が第２の室３１側から第１の室３０側に移動し終わってしばらくしてから開閉弁６０と６１が閉鎖されることが観測された。また、第２の条件の場合も隔壁３２が第２の室３１側から第１の室３０側に移動し終わってしばらくしてから開閉弁６０と６１が閉鎖されることが観測されたが、隔壁３２が移動し終わってから開閉弁６０と６１が閉鎖されるまでの時間は、第１の条件の場合より短かった。第３の条件では、隔壁３２の動きを観測し隔壁３２が定められた位置に達するとほぼ同時に開閉弁６０と６１が閉鎖されるようにした。なお、第１の室３０側への透析液の供給については、隔壁３２の第２の室３１側への移動が終了するとほぼ同時に開閉弁８３、８４が閉鎖されることを確認している。隔壁３２が定められた位置に達するのに掛かる時間の違いは、バネ４２の作用で、隔壁３２の第１の室３０側への移動よりも第２の室３１側への移動に時間がかかることに起因している。
【００７３】
第１の条件ならびに第２の条件ではポンプ５２の送液圧力にバネ４２の補佐が加わることで隔壁３２の移動が速くなり、所定の位置まで移動した後も比較的長く送液圧力が加わり続けることとなる。送液圧力が加わり続けることで容器１２の第２の室３１が変形して膨らみ、さらに隔壁３２が本来の形状より伸長して、第２の室３１の容量が大きくなることから、第１の室３０と第２の室３１の排出量に差が生じていると考えられる。
【００７４】
第２の条件では、ポンプ５２の吐出圧力を第１の条件より低い６０ｋＰａと調整しており、隔壁３２の第２の室３１から第１の室３０への移動速度が低くなり、移動が完了した後に送液圧力が加わり続ける時間が、第１の条件より短くなる。そのため、第２の室３１の容積増大量が減ると同時に、変形を引き起こす第２のポンプ５２の吐出圧が低くなったことで、第１の条件よりも、第１の室３０と第２の室３１の排出量の差が小さくなったと考えられる。
【００７５】
一方、第３の条件では、隔壁３２の動きに合わせて、開閉弁６０、６１の開放時間を調整しており、容器１２や隔壁３２の変形を小さく抑え、第１の室３０と第２の室３１の排出量の差を十分小さく抑えている。
【００７６】
次に、図６に示す２系列の構成の血液透析装置１を用いた実施例を示す。
【００７７】
第４の条件
第１の送液ポンプ８２と第２の送液ポンプ５２の吐出圧力を、それぞれ１００ｋＰａ、６０ｋＰａに調整し、第１の系の容器１２側の開閉弁６０、６１及び開閉弁８３、８４をそれぞれ２秒ずつ開放すると共に、第２の系の容器１５０側の開閉弁１５５、１５６と開閉弁１５３、１５４もそれぞれ２秒ずつ開放し、容器１２側と容器１５０側で、透析液交換工程と透析液供給工程を交互に行うようにした。つまり、開閉弁６０、６１、１５５、１５６の開、開閉弁８３、８４、１５３、１５４の閉の状態を２秒維持し、その後開閉弁６０、６１、１５５、１５６の閉、開閉弁８３、８４、１５３、１５４の開の状態を２秒維持し、その後再び開閉弁６０、６１、１５５、１５６を開、開閉弁８３、８４、１５３、１５４を閉にすることを繰り返した。この場合、容器１２側及び容器１５０側の開放時間Ｓ１が処理時間Ｔ１と同じ２秒、開放時間Ｓ２が処理時間Ｔ２と同じ２秒になる。また、隔壁３２の第１の室３０側への移動が完了する時間が１．２秒であり、隔壁３２の第２の室３１側への移動が完了する時間が１．８秒であった。透析器１０を通って容器１２の第２の室３１と容器１５０の第２の室１８１に供給される透析廃液の流量の合計は、容器１２の第１の室３０と容器１５０の第１の室１８０から透析器１０に排出される透析液流量の合計よりも１分あたり１．８８ｍＬ多かった。
【００７８】
第５の条件
第５の条件では、第１の送液ポンプ８２と第２の送液ポンプ５２の吐出圧力をそれぞれ１５０ｋＰａ、６０ｋＰａに調整し、容器１２側の開閉弁６０、６１及び容器１５０側の開閉弁１５３、１５４をそれぞれ１．４秒開放すると共に、容器１２側の開閉弁８３、８４と容器１５０側の開閉弁１５５、１５６をそれぞれ１．２秒開放させた。この場合、容器１２側及び容器１５０側の処理時間Ｔ１と処理時間Ｔ２は、２．０秒であり、開放時間Ｓ１、Ｓ２が処理時間Ｔ１、Ｔ２より短い。よって、開閉弁８３、８４、１５５、１５６は１．２秒開放された後、２．８（この透析液交換工程の残り０．８秒＋次の透析液供給工程の２．０秒）閉鎖され、開閉弁６０、６１、１５３、１５４は１．４秒開放された後、２．６秒（この透析液供給工程の残り０．６秒＋次の透析液交換工程の２．０秒）閉鎖され、これらが繰り返えされる。また、隔壁３２の第１の室３０側への移動が完了する時間が１．２秒であり、隔壁３２の第２の室３１側への移動が完了する時間が１．１秒であった。透析器１０を通って容器１２の第２の室３１と容器１５０の第２の室１８１に供給される透析廃液の流量の合計は、容器１２の第１の室３０と容器１５０の第１の室１８０から排出される透析液流量の合計よりも１分あたり０．３６ｍＬだけ多かった。これらの結果を表２にまとめて示す。
【００７９】
【表２】
2015009105.tif 000004
【００８０】
これらの結果より、第１の条件、第２の条件、第３の条件で示したのと同様に、隔壁３２の動作に応じて、容器１２、１５０、隔壁３２に余分な内圧が加わらないよう、開閉弁の開閉のタイミングを調整することで、第１の室と第２の室の排出量の差を抑制することができる。
【産業上の利用可能性】
【００８１】
本発明は、血液透析装置において、患者の除水量や除水速度をより厳格に制御する際に有用である。
【符号の説明】
【００８２】
１  血液透析装置
１０  透析器
１０ａ  一次側
１０ｂ  二次側
１０ｃ  入口端
１０ｄ  出口端
１１  血液循環回路
１２  容器
１２a  内壁面
１３  透析液供給回路
１４  透析液交換回路
１５  制御部
２０  動脈側針部
２１  第１の血液流路
２２  静脈側針部
２３  第２の血液流路
３０  第１の室
３１  第２の室
３２  隔壁
３３  復元力付与機構
４０  押圧部材
４０a  ガイド挿入部
４１  ガイド軸
４２  バネ
５０  第１の透析液供給流路
５１  第２の透析液供給流路
５２  第２の送液ポンプ
６０  開閉弁
６１  開閉弁
７０  透析液供給源
８０  第１の透析液交換流路
８１  第２の透析液交換流路
８２  第１の送液ポンプ
８３  開閉弁
８４  開閉弁
９０  分岐路
９１  ポンプ
１００  センサ
１５０  容器
１５１  透析液供給回路
１５２  透析液交換回路
１５３  開閉弁
１５４  開閉弁
１５５  開閉弁
１５６  開閉弁
１６０  第１の透析液供給流路
１６１  第２の透析液供給流路
１７０  第１の透析液交換流路
１７１  第２の透析液交換流路
１８０  第１の室
１８１  第２の室
１８２  隔壁
【図１】
2015009105.tif 000005
【図２】
2015009105.tif 000006
【図３】
2015009105.tif 000007
【図４】
2015009105.tif 000008
【図５】
2015009105.tif 000009
【図６】
2015009105.tif 000010
【図７】
2015009105.tif 000011